(57)【要約】【課題】出隅部及び外壁サイディングの美観が十分に向上するように改修する方法を提供する。【解決手段】まず、差込出隅板金２を左右の各木口片４Ｌ，４Ｒの前縁に沿って縦方向に割断し、左右の前被片５Ｌ，５Ｒ及びカバー片６を除去する。次に、左側及び右側の外壁サイディング１，１の前縁に跨って出隅板金１０を取り付ける。その後、左側及び右側の外壁サイディング１，１と出隅板金１０との上にタイル張り処理を行う。【選択図】図１０
2006037462.tif 000002
【特許請求の範囲】
【請求項１】
既存建築物の外壁の出隅部を改修する方法であって、
該建築物は、該出隅部を挟んで左右両側にそれぞれ既存の外壁サイディングが設置され、左側及び右側の各外壁サイディングの端面が該出隅部に互いに直交方向に配置されており、
各外壁サイディングの該端面が差込出隅板金で覆われているものであり、
該差込出隅板金は、それぞれ左側及び右側外壁サイディングの該端面に沿う後縁に重なる左側及び右側の差込片と、
該差込片に連なり、左側及び右側の外壁サイディングの端面に重なる左側及び右側の木口片と、
該木口片に連なり、各外壁サイディングの該端面に沿う前縁に重なる左側及び右側の前被片と、
該前被片同士を連結しており、該外壁サイディングの端面同士の間のスペースを隠蔽しているカバー片とを備えている
出隅部の改修方法において、
該差込出隅板金を該木口片の前縁に沿って縦方向に割断することにより、該前被片及びカバー片をそれぞれ除去する除去工程と、
左側及び右側の外壁サイディングの該前縁に跨って出隅板金を取り付ける出隅板金取付工程と、
該外壁サイディング及び出隅板金の外面に仕上げ処理を施す仕上げ工程と、
を有することを特徴とする出隅部の改修方法。
【請求項２】
請求項１において、該除去工程の後に、該木口片同士の間にシール剤を打つことを特徴とする出隅部の改修方法。
【請求項３】
請求項１又は２において、該仕上げ工程の仕上げ処理はタイル張りであることを特徴とする出隅部の改修方法。
【請求項４】
請求項３において、該出隅板金取付工程の後、タイル張りの前に、不織布よりなる基材テープの一方の面に粘着剤を付着させてなるジョイントテープを、該粘着剤によって該出隅板金に貼着することを特徴とする出隅部の改修方法。
【請求項５】
既存建築物の外壁の出隅部を改修する方法であって、
該建築物は、該出隅部を挟んで左右両側にそれぞれ既存の外壁サイディングが設置され、左側及び右側の各外壁サイディングの端面が該出隅部に配置されている出隅部の改修方法において、
該左側及び右側の外壁サイディングの該端面に沿う前縁に跨って出隅板金を取り付け、
その後、該外壁サイディングの外面に仕上げ処理を施すことを特徴とする出隅部の改修方法。
【請求項６】
請求項５において、該仕上げ処理はタイル張りであることを特徴とする出隅部の改修方法。
【請求項７】
請求項６において、該出隅板金取付工程の後、タイル張りの前に、不織布よりなる基材テープの一方の面に粘着剤を付着させてなるジョイントテープを、該粘着剤によって該出隅板金に貼着することを特徴とする出隅部の改修方法。
【発明の詳細な説明】
【技術分野】
【０００１】
本発明は既存建築物の外壁の出隅部を改修する方法に関する。
【背景技術】
【０００２】
既存建築物の外壁の出隅部に、差込出隅板金と称される板金を配置し、該出隅部に臨む外壁サイディングの端面と、その表裏の縁部を該差込出隅板金によって覆うことが特開平１０−３１１１３０号公報の図１７に記載されている。同号公報の図１〜７には、この差込出隅板金の改修方法として、差込出隅板金の外側露出面部分（カバー面）を切断除去した後、新たなＬ形断面形状の隅部材を釘留めする改修方法が記載されている。
【特許文献１】特開平１０−３１１１３０号公報
【発明の開示】
【発明が解決しようとする課題】
【０００３】
上記特開平１０−３１１１３０号の改修方法は、経年変化により外壁サイディングが反って差込出隅板金と外壁サイディングとの間に隙間が生じた場合に、この隙間を解消させるためのものである。そのため、この隙間解消により出隅部からの雨水の浸入は防止されるようになるが、劣化した外壁サイディングの外面はそのままであり美観は改善されない。
【０００４】
本発明は、出隅部及び外壁サイディングの美観が十分に向上するように改修する方法を提供することを目的とする。
【課題を解決するための手段】
【０００５】
請求項１の出隅部の改修方法は、既存建築物の外壁の出隅部を改修する方法であって、該建築物は、該出隅部を挟んで左右両側にそれぞれ既存の外壁サイディングが設置され、左側及び右側の各外壁サイディングの端面が該出隅部に互いに直交方向に配置されており、各外壁サイディングの該端面が差込出隅板金で覆われているものであり、該差込出隅板金は、それぞれ左側及び右側外壁サイディングの該端面に沿う後縁に重なる左側及び右側の差込片と、該差込片に連なり、左側及び右側の外壁サイディングの端面に重なる左側及び右側の木口片と、該木口片に連なり、各外壁サイディングの該端面に沿う前縁に重なる左側及び右側の前被片と、該前被片同士を連結しており、該外壁サイディングの端面同士の間のスペースを隠蔽しているカバー片とを備えている出隅部の改修方法において、該差込出隅板金を該木口片の前縁に沿って縦方向に割断することにより、該前被片及びカバー片をそれぞれ除去する除去工程と、左側及び右側の外壁サイディングの該前縁に跨って出隅板金を取り付ける出隅板金取付工程と、該外壁サイディング及び出隅板金の外面に仕上げ処理を施す仕上げ工程と、を有することを特徴とするものである。
【０００６】
請求項２の出隅部の改修方法は、請求項１において、該除去工程の後に、該木口片同士の間にシール剤を打つことを特徴とするものである。
【０００７】
請求項３の出隅部の改修方法は、請求項１又は２において、該仕上げ工程の仕上げ処理はタイル張りであることを特徴とするものである。
【０００８】
請求項４の出隅部の改修方法は、請求項３において、該出隅板金取付工程の後、タイル張りの前に、不織布よりなる基材テープの一方の面に粘着剤を付着させてなるジョイントテープを、該粘着剤によって該出隅板金に貼着することを特徴とするものである。
【０００９】
請求項５の出隅部の改修方法は、既存建築物の外壁の出隅部を改修する方法であって、該建築物は、該出隅部を挟んで左右両側にそれぞれ既存の外壁サイディングが設置され、左側及び右側の各外壁サイディングの端面が該出隅部に配置されている出隅部の改修方法において、該左側及び右側の外壁サイディングの該端面に沿う前縁に跨って出隅板金を取り付け、その後、該外壁サイディングの外面に仕上げ処理を施すことを特徴とするものである。
【００１０】
請求項６の出隅部の改修方法は、請求項５において、該仕上げ処理はタイル張りであることを特徴とするものである。
【００１１】
請求項７の出隅部の改修方法は、請求項６において、該出隅板金取付工程の後、タイル張りの前に、不織布よりなる基材テープの一方の面に粘着剤を付着させてなるジョイントテープを、該粘着剤によって該出隅板金に貼着することを特徴とするものである。
【発明の効果】
【００１２】
請求項１の出隅部の改修方法によると、出隅板金を取り付けた後、外壁サイディング及び出隅板金の外面に仕上げ処理を施すため、出隅板金を含めて外壁サイディングの外観が十分に向上する。
【００１３】
請求項２の出隅部の改修方法によると、出隅部からの雨水の浸入が十分に防止される。
【００１４】
請求項３の出隅部の改修方法によると、美麗で耐久性の良好なタイル張り仕上げとすることができる。
【００１５】
請求項４の出隅部の改修方法によると、テープ表面の微小な凹凸によりタイルとの接着面積が大きくなり、出隅板金へのタイルの付着強度を十分に高めることが可能となる。
【００１６】
請求項５の出隅部の改修方法によっても、出隅板金を取り付けた後、外壁サイディング及び出隅板金の外面に仕上げ処理を施すため、出隅板金を含めて外壁サイディングの外観が十分に向上する。
【００１７】
請求項６の出隅部の改修方法によると、美麗で耐久性の良好なタイル張り仕上げとすることができる。
【００１８】
請求項７の出隅部の改修方法によると、出隅板金へのタイルの付着強度を十分に高めることが可能となる。
【発明を実施するための最良の形態】
【００１９】
以下、図面を参照して本発明の実施の形態について説明する。
【００２０】
第１図及び第２図は既存の外壁の出隅部の斜視図及び水平断面図である。第３図及び第４図は実施の形態に係る出隅部の改修方法の施工初期段階（差込出隅板金の前被片及びカバー片を除去した段階）における出隅部の斜視図及び水平断面図である。第５図は出隅板金の出隅部への取付途中時の水平断面図であり、第６図及び第７図は出隅板金取付後の出隅部の水平断面図及び斜視図である。第８図は出隅板金へのジョイントテープ貼着後の出隅部の水平断面図であり、第９図及び第１０図は外壁へのネット取付後の出隅部の水平断面図及び斜視図である。第１１図はタイル張り後（改修完了時）の出隅部の水平断面図である。
【００２１】
第１図及び第２図に示すように、出隅部を挟んで左側及び右側にそれぞれ既存の外壁サイディング１，１が設置されている。図示の通り、この左側及び右側の外壁サイディング１，１は、出隅部を挟んで互いに直交方向に延在しており、各々の端面（木口面）が互いに直交方向を向いて該出隅部に臨むように配置されている。この左側及び右側の各外壁サイディング１，１の端面はそれぞれ差込出隅板金２によって覆われている。
【００２２】
該差込出隅板金２は、第１図及び第２図に示す通り、左側及び右側の各外壁サイディング１，１の該端面に沿う後縁（各外壁サイディング１，１の裏側の端縁部）にそれぞれ重なる左側及び右側の差込片３Ｌ，３Ｒと、各差込片３Ｌ，３Ｒに連なり、左側及び右側の各外壁サイディング１，１の該端面にそれぞれ重なる左側及び右側の木口片４Ｌ，４Ｒと、各木口片４Ｌ，４Ｒに連なり、左側及び右側の各外壁サイディング１，１の該端面に沿う前縁（各外壁サイディング１，１の表側の端縁部）にそれぞれ重なる前被片５Ｌ，５Ｒと、この前被片５Ｌ，５Ｒ同士を連結しており、各外壁サイディング１，１の該端面同士の間のスペースを隠蔽しているカバー片６とを備えている。このカバー片６により、出隅部を挟んで左側及び右側に連続する角面が形成されている。
【００２３】
この差込出隅板金２は、出隅部の柱７に沿って上下方向に延設されており、左側及び右側の差込片３Ｌ，３Ｒが、この柱７の直交する２側面（出隅部を挟んで左側及び右側の各側面）に沿ってそれぞれ配置されている。
【００２４】
詳しくは、柱７の出隅部を挟んで左側及び右側の各側面に胴縁８，８が取り付けられ、この左側及び右側の各胴縁８，８に差込出隅板金２の左側及び右側の差込片３Ｌ，３Ｒがそれぞれ重ね合わされて釘又はビス等で固定されている。左側の差込片３Ｌと前被片５Ｌとの間並びに右側の差込片３Ｒと前被片５Ｒとの間に各外壁サイディング１の端部が差し込まれるようにして出隅部の左側及び右側にそれぞれ外壁サイディング１，１が設置されている。各外壁サイディング１は、必要に応じ、この出隅部の柱７に釘やビス等により固定されている。
【００２５】
次に、この既存の外壁及び出隅部の改修方法について説明する。なお、この実施の形態では、既存の外壁及び出隅部をタイル張り仕上げに改修する。
【００２６】
まず、第３図及び第４図のように、差込出隅板金２を、左側及び右側の各木口片４Ｌ，４Ｒの前縁に沿って電動カッター等により縦方向に割断する。そして、該差込出隅板金２の各前被片５Ｌ，５Ｒ及びカバー片６を除去する。この際、各木口片４Ｌ，４Ｒの残留部分が既存の外壁サイディング１，１の前面から突出しないように、各木口片４Ｌ，４Ｒの前縁側を切除する。
【００２７】
その後、必要に応じ、第５図のように、この木口片４Ｌ，４Ｒ同士の間にシール材９を打ち、両者の間の間隙をシールする。
【００２８】
次に、第５図から第６図及び第７図のように、左側及び右側の外壁サイディング１，１の前縁に跨って出隅板金１０を取り付ける。
【００２９】
この実施の形態では、該出隅板金１０は、第５図及び第６図の通り、断面（水平断面）Ｌ字形のものであり、そのＬ字形の屈曲部から一半側と他半側とが左側及び右側の各外壁サイディング１，１の前面にそれぞれ重ねられて釘１１やビス等で固定される。
【００３０】
この出隅板金１０は長尺物であり、出隅部に沿って上下方向に延設される。
【００３１】
なお、第５〜９図及び第１１図では、出隅板金１０の厚みが若干誇張されているが、この出隅板金１０の厚みはごく小さなものとなっている。この出隅板金１０の厚みは、好ましくは０．３ｍｍ程度である。そのため、各外壁サイディング１，１の前面と出隅板金１０との間の段差により、仕上げ工程で張り付けられるタイル相互間に不陸が生じることは殆どないし全くない。
【００３２】
次に、この出隅板金１０の上からジョイントテープ１２を貼り付ける。このジョイントテープ１２は、帯状の不織布よりなる基材テープの一方の面に粘着材料としてブチルゴムを付着ないし含浸させた片面粘着テープであり、他方の面には該基材テープの不織布が露出している。かかる構成のジョイントテープ１２は、厚み方向及び面方向の双方に弾力性（クッション性）を有している。
【００３３】
このジョイントテープ１２の幅は、出隅板金１０の一方の側辺から該出隅板金１０の外面を通って他方の側辺に至る距離よりも大きなものとなっており、ジョイントテープ１２を貼り付けるに際しては、その幅方向の両側縁部を出隅板金１０の両側辺からはみ出させ、この出隅板金１０を挟んで左側及び右側の各外壁サイディング１，１の前面にまで重なるようにする。このように、ジョイントテープ１２を出隅板金１０とその両サイドの各外壁サイディング１の前面とに跨って貼り付けることにより、両者の接合部が該ジョイントテープ１２によってシールされ、防水性が向上する。
【００３４】
次に、各外壁サイディング１，１の前面に両面粘着テープ１３を付着させる。この両面粘着テープ１３は、帯状の不織布よりなる基材テープの両面に粘着材料としてブチルゴムを付着ないし含浸させてなるものである。その後、合成樹脂製のネット１４を、出隅部を回り込むようにして左側及び右側の各外壁サイディング１，１の前面に重ね合わせ、該両面粘着テープ１３に付着させて仮留めする。また、必要に応じ、このネット１４の上から外壁サイディング１にタッカー１５を打ち込み、ネット１４を外壁サイディング１に留め付ける。
【００３５】
このネット１４の目開きは５〜２０ｍｍ程度が好適である。
【００３６】
なお、この実施の形態では、複数枚のネット１４を左右隣り合わせにして連続的に配置している。以下に、この実施の形態におけるネット１４の取り付け手順を詳しく説明する。
【００３７】
この実施の形態では、まず、各ネット１４の両側端部を付着させるための両面粘着テープ１３を、テープ相互間にネット１枚分の間隔をあけて複数条貼り付ける。また、必要に応じ、各ネット１４の途中部分を付着させるための両面粘着テープ１３も貼り付ける。
【００３８】
次に、１条目の両面粘着テープ１３と、ネット１枚分の間隔をあけて配置された２条目の両面粘着テープ１３とに１枚目のネット１４の両側端部を付着させる。次に、この２条目の両面粘着テープ１３に、１枚目のネット１４の上から２枚目のネット１４の一方の側端部を重ねて付着させる。この際、互いに重なり合った１枚目及び２枚目の各ネット１４の側端部と、両面粘着テープ１３とを通してタッカー１５を打ち込み、これらを一体的に外壁サイディング１に留め付けてもよい。次いで、この２枚目のネット１４の他方の側端部を、該２条目の両面粘着テープ１３からネット１枚分の間隔をあけて配置された３条目の両面粘着テープ１３に付着させる。
【００３９】
その後、これと同様の手順で３枚目以降のネット１４を順次取り付けていく。
【００４０】
次に、ワッシャ１６を介してビス１７を所定の打ち込みピッチにて外壁サイディング１に打ち込み、各ネット１４を外壁サイディング１に固定する。
【００４１】
ワッシャ１６は、このネット１４の目開きよりも大きい直径を有した略円盤形状のものである。このワッシャ１６の中央部にビス挿通孔（図示略）が設けられている。この実施の形態では、該ビス１７は皿ビスであり、該ビス挿通孔は、このビス１７の頭部の略全体が嵌合するテーパ形状となっている。このため、ビス打ち後には、このビス１７の頭部はこのワッシャ１６の外向き面（ネット１４と反対側の面）から非突出状となる。
【００４２】
次に、第１１図のように、該ネット１４を塗り込めるようにしてタイル接着用の弾性接着剤１８を塗着する。この弾性接着剤１８としては、変性エポキシ系あるいは変性シリコン系接着剤等を用いることができる。
【００４３】
その後、この弾性接着剤層の上にタイル１９を押し当てて接着する。その後、必要に応じて目地詰めする。
【００４４】
なお、この実施の形態では、出隅部には、Ｌ字形の役物タイル１９’が取り付けられる。これにより、出隅部を挟んで左側の外壁と右側の外壁とが連続したタイル張り調となる。なお、この実施の形態では、出隅部に装着された出隅板金１０を不織布よりなる基材テープ（ジョイントテープ１２）が覆っているので、タイル１９’を出隅部（出隅板金１０）にしっかりと付着させることができる。
【００４５】
以上の出隅部の改修方法によると、出隅部に出隅板金１０を取り付けた後、各外壁サイディング１，１及び出隅板金１０の外面に仕上げ処理（タイル張り）を施すため、出隅板金１０を含めて外壁サイディング１の外観が十分に向上する。
【００４６】
なお、この実施の形態では、出隅板金１０と各外壁サイディング１，１とに跨ってクッション性を有するジョイントテープ１２が設けられているので、温度変化等により各外壁サイディング１が膨張・収縮し、各外壁サイディング１と出隅板金１０とがずれた場合でも、このずれによってタイル１９，１９’に加えられる応力が該ジョイントテープ１２によって吸収されるため、タイル１９，１９’の割れや剥離が防止される。
【００４７】
第１２図及び第１３図は別の実施の形態に係る出隅部の改修方法における出隅板金取付後の斜視図及び水平断面図である。
【００４８】
この実施の形態では、出隅部を挟んで左右両側にそれぞれ既存の外壁サイディング１，１が設置され、出隅金具２０が左側及び右側の各外壁サイディング１，１の端面同士の間に介在するように該出隅部に取り付けられている。
【００４９】
該出隅金具２０は、左側及び右側の各外壁サイディング１，１の該端面に沿う後縁（各外壁サイディング１，１の裏側の端縁部）にそれぞれ重なる左側及び右側の差込片２１Ｌ，２１Ｒと、各差込片２１Ｌ，２１Ｒに連なり、左側及び右側の各外壁サイディング１，１の該端面にそれぞれ重なる左側及び右側の木口片２２Ｌ，２２Ｒと、各木口片２２Ｌ，２２Ｒ同士を連結しており、各外壁サイディング１，１の該端面同士の間のスペースを隠蔽しているカバー片２３とを備えている。このカバー片２３の前面は、出隅部を挟んで左側及び右側に連続する角面となっている。即ち、この出隅金具２０は、前述の実施の形態における既存の差込出隅板金２から、左側及び右側の各外壁サイディング１，１の端面に沿う前縁（各外壁サイディング１，１の表側の端縁部）にそれぞれ重なる前被片５Ｌ，５Ｒを省略した如き構成となっている。
【００５０】
詳しくは、出隅部の柱７の該出隅部を挟んで左側及び右側の各側面に胴縁８，８が取り付けられ、この左側及び右側の各胴縁８，８に出隅金具２０の左側及び右側の差込片２１Ｌ，２１Ｒがそれぞれ重ね合わされて釘又はビス等で固定されている。左側の木口片２２Ｌと右側の木口片２２Ｒとに各外壁サイディング１の端面を突き合わせるようにして、該出隅金具２０の左側及び右側にそれぞれ外壁サイディング１，１が設置されている。なお、各木口片２２Ｌ，２２Ｒと各外壁サイディング１の端面との間には、それぞれ、発泡ポリスチレン等よりなるバックアップ材２４が介在され、各外壁サイディング１の表側からシール材２５が充填されている。各外壁サイディング１は、該柱７に釘やビス等で固定されている。
【００５１】
かかる既存の外壁及び出隅部を改修する場合、出隅金具２０のカバー片２３の上から左側及び右側の外壁サイディング１，１の前縁に跨って出隅板金１０を被せ付け、釘やビス等で各外壁サイディング１に固定する。
【００５２】
その後、この出隅板金１０の上にジョイントテープ１２（図示略）を貼り付けたり、各外壁サイディング１の前面にネット１４（図示略）を取り付けるなどした後、該出隅板金１０及び各外壁サイディング１の前面側に、所謂塗りやタイル張り等の仕上げ処理を施す。なお、出隅板金１０を出隅部に取り付けた以降の該出隅部及び外壁の改修手順は前述の実施の形態と同様であり、詳しい説明は省略する。
【００５３】
この実施の形態でも、出隅部に出隅板金１０を取り付けた後、各外壁サイディング１，１及び出隅板金１０の外面に仕上げ処理を施すため、出隅板金１０を含めて外壁サイディング１の外観が十分に向上する。
【００５４】
なお、この実施の形態における既存の外壁の出隅部にあっては、出隅金具２０とその左側及び右側の各外壁サイディング１，１との間にそれぞれシール材２５の層が介在している。仮に、この既存の外壁の出隅部に出隅板金１０を取り付けることなく直接的に仕上げ処理を施した場合、出隅金具２０、シール材２５並びに外壁サイディング１の三者が異なる材質のものであるため、各々の間で仕上げ層に不陸が目立ち易い。特に、仕上げ処理として、これら三者に跨ってタイルを張り付けた場合、各々が異なる熱膨張率にて熱膨張・熱収縮することにより、タイルに割れや剥離が生じ易い。
【００５５】
本発明の改修方法によれば、出隅部を挟んで左側及び右側の外壁サイディング１，１の前縁に跨って（即ち出隅金具２０とシール材２５の層とを覆うように）出隅板金１０を取り付けた後、該出隅板金１０及び各外壁サイディング１の上に仕上げ処理を施すため、美麗な仕上げ面を形成することができる。
【００５６】
上記の各実施の形態はいずれも本発明の一例を示すものであり、本発明は上記の各実施の形態に限定されるものではない。
【００５７】
本発明においては、タイル張り仕上げ以外の仕上げ処理を行ってもよい。本発明においては、例えば、所謂塗り仕上げを行なってもよい。
【図面の簡単な説明】
【００５８】
【図１】既存建築物の外壁の出隅部の斜視図である。
【図２】既存建築物の外壁の出隅部の水平断面図である。
【図３】実施の形態に係る出隅の改修方法の施工初期段階における出隅部の斜視図である。
【図４】実施の形態に係る出隅の改修方法の施工初期段階における出隅部の水平断面図である。
【図５】出隅板金の出隅部への取付途中時の水平断面図である。
【図６】出隅板金取付後の出隅部の水平断面図である。
【図７】出隅板金取付後の出隅部の斜視図である。
【図８】出隅板金へのジョイントテープ貼着後の出隅部の水平断面図である。
【図９】外壁へのネット取付後の出隅部の水平断面図である。
【図１０】外壁へのネット取付後の出隅部の斜視図である。
【図１１】タイル張り後（改修完了時）の出隅部の水平断面図である。
【図１２】別の実施の形態に係る出隅部の改修方法における出隅板金取付後の斜視図である。
【図１３】別の実施の形態に係る出隅部の改修方法における出隅板金取付後の水平断面図である。
【符号の説明】
【００５９】
１  外壁サイディング
２  差込出隅板金
３Ｌ，３Ｒ  差込片
４Ｌ，４Ｒ  木口片
５Ｌ，５Ｒ  前被片
６  カバー片
７  出隅部の柱
８  胴縁
９  シール剤
１０  出隅板金
１２  ジョイントテープ
１３  両面粘着テープ
１４  ネット
１５  タッカー
１６  ワッシャ
１７  ビス
１８  弾性接着剤
１９，１９’  タイル
２０  出隅金具
２１Ｌ，２１Ｒ  差込片
２２Ｌ，２２Ｒ  木口片
２３  カバー片
２５  シール材
【図１】
2006037462.tif 000003
【図２】
2006037462.tif 000004
【図３】
2006037462.tif 000005
【図４】
2006037462.tif 000006
【図５】
2006037462.tif 000007
【図６】
2006037462.tif 000008
【図７】
2006037462.tif 000009
【図８】
2006037462.tif 000010
【図９】
2006037462.tif 000011
【図１０】
2006037462.tif 000012
【図１１】
2006037462.tif 000013
【図１２】
2006037462.tif 000014
【図１３】
2006037462.tif 000015